(57)【特許請求の範囲】
【請求項１】
底板と、その上面に幼魚育成スペースを形成するフレームとを備えた人工漁礁であって、
前記底板は、
ＦＲＰ製の型枠と、
該型枠の内部に充填された、廃棄ＦＲＰ製品を破砕して固化材と混合した再生ＦＲＰと、前記型枠の表面に貼付けられた石板とから構成されている
ことを特徴とする人工漁礁。
【請求項２】
前記フレームが、前記底板上に立てられた複数本の柱と、
該柱で支持された天板とからなり、
前記柱と前記天板は、いずれも、
ＦＲＰ製の型枠と、
該型枠の内部に充填された、廃棄ＦＲＰ製品を破砕して固化材と混合した再生ＦＲＰとからなる
ことを特徴とする請求項１記載の人工漁礁。
【請求項３】
前記フレームに幼魚育成スペースを区画する網が取付けられており、
該網の内側には、角を丸めた自然石が固定されている
ことを特徴とする請求項１記載の人工漁礁。
【請求項４】
前記天板の上面に、石板を用いた藻場ステージを形成した
ことを特徴とする請求項２記載の人工漁礁。
【請求項５】
前記フレームが、型枠に網が取付けられたものであり、該フレーム内に自然石が収容されている
ことを特徴とする請求項１記載の人工漁礁。
【請求項６】
前記フレームが、半球状の網で構成されており、該網に自然石が取付けられている
ことを特徴とする請求項１記載の人工漁礁。
【請求項７】
前記フレームが、型枠に複数本の串棒が取付けられたものであり、該串棒に自然石が串刺しにして取付けられている
ことを特徴とする請求項１記載の人工漁礁。
【請求項８】
前記フレームの表面に石板が貼付されている
ことを特徴とする請求項２記載の人工漁礁。
【発明の詳細な説明】
【０００１】
【発明の属する技術分野】
本発明は、人工漁礁に関する。
【０００２】
【従来の技術】
魚が住むことができる海底の深さは決まっており、あまり深い水深の海底にはほとんどの魚が住むことができない。また、外敵から身を守るために隠れる場所がないと、魚は住むことができない。そこで、従来より人工漁礁を海底に設置することにより、魚が住める居住空間を魚に提供している。
従来の人工漁礁は、コンクリートや鋼材等の建材で構築されているので、頑強であり、海底に長期間設置することができる。
【０００３】
【発明が解決しようとする課題】
しかるに、従来の人工漁礁には、以下の（ｉ）〜（vi）の問題がある。
（ｉ）従来の人工漁礁は、材料がコンクリートや鋼材等であり、材料費用が高い。
（ii）従来の人工漁礁は、魚が隠れる場所を提供できるので、ある程度の居住性はあるが、酸素は多いとはいえず産卵場としての機能が十分でなく、藻が群生する藻場の居住性に比べれば、従来の人工漁礁の居住性は格段に低い。
(iii) 従来の人工漁礁には、魚の成長に応じて幼魚および成魚のいずれにとっても快適な居住空間を提供できるものはない。魚の居住空間は、幼魚の場合と成魚の場合とでは、快適な条件が異なる。幼魚の場合、餌は少量でよいので、外敵から身を守ることが第一の居住条件となるが、成魚の場合大きくなった分、外敵の数が相対的に減るので、餌を確保しやすいことが第一の居住条件となるのである。従来の人工漁礁は、いずれかの条件を欠いており、魚の居住性としては低いのである。
（iv）従来の人工漁礁の場合、住居エリアは人工漁礁の周囲におけるごく狭い範囲であるから、多くの魚が居住することができない。
（ｖ）従来の人工漁礁は、コンクリート等の建材で構築されているので、重い。このため、従来の人工漁礁を軟質地盤の海底に設置すると、自重によって沈下してしまい、漁礁としての役割を果せなくなってしまうという問題がある。
（vi）一方、ガラス繊維強化熱硬化性樹脂（以下ＦＲＰという）製の漁船やプレジャーボート等のＦＲＰ製品を廃棄する場合、ＦＲＰ製品の廃棄処理が必要であり、廃棄処理のコストがかかるという問題がある。
【０００４】
本発明はかかる事情に鑑み、材料費が安く、魚の居住性を向上させることができ、藻の生育エリアおよび魚の居住エリアを拡大させ多くの幼魚および成魚を居住させることができ、軟質地盤の海底に設置しても沈下せず、従来廃棄されていたＦＲＰ製品を有用な人工漁礁に再生することができる人工漁礁を提供することを目的とする。
【０００５】
【課題を解決するための手段】
請求項１の人工漁礁は、底板と、その上面に幼魚育成スペースを形成するフレームとを備えた人工漁礁であって、前記底板は、ＦＲＰ製の型枠と、該型枠の内部に充填された、廃棄ＦＲＰ製品を破砕して固化材と混合した再生ＦＲＰと、前記型枠の表面に貼付けられた石板とから構成されていることを特徴とする。
請求項２の人工漁礁は、請求項１記載の発明において、前記フレームが、前記底板上に立てられた複数本の柱と、該柱で支持された天板とからなり、前記柱と前記天板は、いずれも、ＦＲＰ製の型枠と、該型枠の内部に充填された、廃棄ＦＲＰ製品を破砕して固化材と混合した再生ＦＲＰとからなることを特徴とする。
請求項３の人工漁礁は、請求項１記載の発明において、前記フレームに幼魚育成スペースを区画する網が取付けられており、該網の内側には、角を丸めた自然石が固定されていることを特徴とする。
請求項４の人工漁礁は、請求項２記載の発明において、前記天板の上面に、石板を用いた藻場ステージを形成したことを特徴とする。
請求項５の人工漁礁は、請求項１記載の発明において、前記フレームが、型枠に網が取付けられたものであり、該フレーム内に自然石が収容されていることを特徴とする。
請求項６の人工漁礁は、請求項１記載の発明において、前記フレームが、半球状の網で構成されており、該網に自然石が取付けられていることを特徴とする。
請求項７の人工漁礁は、請求項１記載の発明において、前記フレームが、型枠に複数本の串棒が取付けられたものであり、該串棒に自然石が串刺しにして取付けられていることを特徴とする。
請求項８の人工漁礁は、請求項２記載の発明において、前記フレームの表面に石板が貼付されていることを特徴とする。
【０００６】
請求項１の発明によれば、底板が再生ＦＲＰを固化してＦＲＰ製の型枠内に充填したものであるから、軽量かつ頑強であって、海底に長期間設置することができ、軟質地盤に設置してもコンクリート製の漁礁と比べて沈下しない。しかも、廃棄予定のＦＲＰ製品を資源として再生することができる。また、底板の裏面の石板には、魚が卵を産み付けることができ、卵や卵からかえった幼魚を網によって外敵から保護することができるので、快適な幼魚育成スペースを提供することができる。
請求項２の発明によれば、天板と柱も再生ＦＲＰを型枠内に充填しているから、廃棄予定のＦＲＰ製品の再生割合が大きい。しかも、再生ＦＲＰを固化してＦＲＰ製の型枠内に充填したものであるから、軽量かつ頑強であって、海底に長期間設置することができ、軟質地盤に設置してもコンクリート製の漁礁と比べて沈下しない。
請求項３の発明によれば、自然石に魚が卵を産み付けることができ、卵や卵からかえった幼魚を網によって外敵から保護することができる。
請求項４の発明によれば、藻場ステージに収容される藻育成用土に藻を生育させ藻場を形成させることができ、この藻場により魚が隠れやすくなり、酸素が供給され、好適な産卵場として機能するから、魚の居住性を向上させることができる。
請求項５の発明によれば、フレーム内の自然石に魚が卵を産み付けることができ、卵や卵からかえった幼魚を網によって外敵から保護することができる。
請求項６の発明によれば、網内の自然石に魚が卵を産み付けることができ、卵や卵からかえった幼魚を網によって外敵から保護することができる。
請求項７の発明によれば、串棒の自然石に魚が卵を産み付けることができ、卵や卵からかえった幼魚を網によって外敵から保護することができる。
請求項８の発明によれば、石板に自然石に魚が卵を産み付けることができ、卵や卵からかえった幼魚を網によって外敵から保護することができる。
【０００７】
【発明の実施の形態】
つぎに、本発明の実施形態を図面に基づき説明する。
図１は本実施形態の人工漁礁が用いられる人工漁礁設備の概略模式図である。同図において、符号７１は海底で自然に生育している自然藻場を示している。この自然藻場７１より深い海底には、捨石を積み上げた捨石マウンド７２が設けられている。
この捨石マウンド７２により水深を浅くすることにより、深い海底では住めない魚が住めるようになる。しかも、捨石マウンド７２は、捨石は自然の石材なので海生生物との親和性が高く、安価な捨石を積み上げたものであるから、材料費用が安価である。
【０００８】
前記捨石マウンド７２の上面には、本発明の一実施形態に係る人工漁礁１が固定されている。
図２は人工漁礁１の概略斜視図である。図３は図２のIII−III線断面斜視図である。図２〜図３に示すように、人工漁礁１は、底板１０、フレーム２０、藻場ステージ３０および自然石４０から構成されたものである。
【０００９】
底板１０は、ＦＲＰ製の型枠の内部に、再生ＦＲＰが充填され、型枠の表面に、石板が貼り付けられたものである。再生ＦＲＰは、古くなったり使わなくなったＦＲＰ製の漁船やプレジャーボート等の従来廃棄されていたＦＲＰ製品を破砕機によって破砕し、破砕されたＦＲＰ片に、ポリエステル樹脂ならびにスチレン等の固化材を混合した樹脂である。この底板１０は、主原料が再生ＦＲＰであるから軽量であり、型枠がＦＲＰ製であるから頑強である。
【００１０】
底板１０の上面には、フレーム２０が設けられている。フレーム２０は、４本の柱２１、網２２および天板２３から構成されたものである。柱２１および天板２３は、前記底板１０と同様に、ＦＲＰ製の型枠の内部に、再生ＦＲＰが充填された建材であるから、廃棄予定のＦＲＰ製品を資源として再生することができる。しかも、軽量かつ頑強であるから、海底に長期間設置することができ、軟質地盤に設置しても沈下しない。
【００１１】
前記底板１０と天板２３との間には、これらの部材と４本の柱２１および４枚の網２２で囲まれた幼魚育成スペースＳが形成されている。各柱２１はいずれも、底板１０と天板２３との間に立設され固定されている。
底板１０と天板２３の間において隣接する柱２１，２１間には、網２２がそれぞれ取り付けられている。網２２は、金網や合成樹脂製の網、網目の大きさが100〜250[ｍｍ]程度のものを使用すればよく、網２２の網目より大きな魚が幼魚育成スペースＳに入り込むのを防止することができる。網２２には、その内側に、花崗岩等の自然石４０が接着剤またはアンカーによって固定されている。
自然石４０は、角を丸めた自然石が好適であるが、特に素材に限定はない。
かかる構成により、自然石４０に魚が卵を産み付けることができ、卵や卵からかえった幼魚を網２２によって外敵から保護することができるので、快適な居住空間を魚に提供することができる。
【００１２】
つぎに、藻場ステージ３０を説明する。
前記天板２３の上面における周端縁には、石板製の囲い壁３１が取り付けられており、この囲い壁３１と前記天板２３の上面により、藻場ステージ３０が構成されている。この藻場ステージ３０には、藻を生成させるために、自然藻が既に生育している場所の低質土や礫、石類等の藻育成用土が収容される。囲い壁３１は石板であるから、藻が囲い壁３１に付着しやすくなるので好適である。この藻場ステージ３０は請求項４の一例である。
人工漁礁１は、その藻場ステージ３０の水深が前記自然藻場７１の水深と同じになるように設置されている。
【００１３】
上記のごとく、人工漁礁１の上面に藻場ステージ３０を設け、この藻場ステージ３０の水深を自然に生育している自然藻場７１の水深と同じ深さにすることにより、藻場ステージ３０に収容される藻育成用土に藻を生育させることができる。よって、人工漁礁１の藻場ステージ３０に藻場を形成することができ、この藻場により居住性を向上させることができる。
【００１４】
なお、図５に示すように、天板２３の上面に囲い壁３１を設けずに、天板２３の上面に藻場ステージ３０として石板３２を貼り付けてもよい。石板３２は、素材が石であるから、表面に藻が付着しやすくなり藻場が形成されやすくなるので好適である。この藻場ステージ３０は請求項４の他の例である。
【００１５】
上記のごとく、捨石マウンド７２により水深を浅くすることにより、深い海底では住めない魚が住めるようになり、人工漁礁１によって、魚の居住空間を広げることができる。
【００１６】
再び図１に示すように、前記自然藻場７１と捨石マウンド７２との間には、人工磯７３が設けられている。この人工磯７３は、花崗岩等の自然石をいくつか海底に設置したものである。
このため、人工漁礁１の藻場ステージ２４に生育する藻場と自然藻場７１との間に、人工磯７３を設けることにより、この人工磯７３を両者の藻場に生育する魚の渡橋として機能させることができる。よって、両者の藻場間で魚を往来させることができ、魚の居住空間を拡大することができる。
【００１７】
前記捨石マウンド７２が配設された海底より深い海底に、人工漁礁１より大きな成魚用漁礁７４が配設されている。図４は成魚用漁礁７４の概略斜視図である。同図に示すように、この成魚用漁礁７４は多数の棒材８１を図示しないジョイントで結合したものであり、前記人工漁礁１より大きく、内部に魚が身を隠すための隠棲スペース８２が形成されており、成長した成魚にとっては餌を確保しやすい形状である。
このため、人工漁礁１の藻場ステージ３０上の藻場を幼魚の居住空間として提供でき、成魚用漁礁７４を成魚の居住空間として提供できる。よって、幼魚から成魚まで魚の成長に応じて好適な居住空間を魚に提供することができ、居住性を向上させることができる。
なお、棒材８１は、石材製が好適であり、この場合海生生物との親和性が高い。
【００１８】
上記の人工漁礁設備によれば、材料費が安く、魚の居住性を向上させることができ、居住エリアを拡大させ多くの魚が居住させることができ、軟質地盤の海底に設置しても沈下せず、従来廃棄されていたＦＲＰ製品を有用な人工漁礁に再生することができるという効果を奏する。
【００１９】
つぎに、他の実施形態の人工漁礁１Ｂ〜１Ｈを説明する。
図６は第２実施形態（請求項５）の人工漁礁１Ｂの概略斜視図である。同図に示すように、第２実施形態の人工漁礁１Ｂは、底板１０の上面に、フレーム20B が設けられ、フレーム20B の内部に自然石４０が収容されたものである。
人工漁礁１Ｂにおける底板１０および自然石４０は、前記人工漁礁１における底板１０および自然石４０と実質同様のものである。
【００２０】
そこで、フレーム20B を説明する。
フレーム20B は、Ｈ型鋼などの型鋼で組み合わされた型枠21B に、網２２が取り付けられたものである。フレーム20Bの内部には、自然石４０が収容されている。
第２実施形態の人工漁礁１Ｂの場合、海生生物との親和性が高い自然石４０が取り付けられているので、既存のコンクリート漁礁に比べ、コケやふじつぼ等が付き易く、魚が産卵しやすく、稚魚が効果的に育ち易い居住空間を提供できる。
【００２１】
図７は第３実施形態（請求項６）の人工漁礁１Ｃである。同図に示すように、底板１０の上面に型枠21B を設けずに、半球面状の網２２C のみで構成したフレーム20C を、底板１０の上面に直接設置してもよい。
この人工漁礁１Ｃの場合、海生生物との親和性が高い自然石４０が取り付けられているので、既存のコンクリート漁礁に比べ、コケやふじつぼ等が付き易く、魚が産卵しやすく、稚魚が効果的に育ち易い居住空間を提供できる。
【００２２】
つぎに、第４実施形態（請求項７）の人工漁礁１Ｄを説明する。
図８は、第４実施形態の人工漁礁１Ｄの概略斜視図である。同図に示すように、第４実施形態の人工漁礁１Ｄは、底板１０の上面に、藻場ステージ３０として石板３２が貼り付けられ、石板３２の上面にフレーム20D が設けられたものである。
【００２３】
このフレーム20Dは、型枠21Dに串棒２５が取り付けられたものである。型枠21D は、型鋼が組み合わされたものである。この型枠21D
には複数の串棒４が取り付けられており、串棒４には複数の自然石４０が串ざしにして取り付けられている。
この人工漁礁１Ｄの場合、対象魚種は、主にあわびであり、石板３２の上面に生成した藻を餌とするあわびが自然石４０の下面に棲みつきやすい。また、あわびを取るときに、自然石４０をひっくり返して取りやすく、労力を軽減できる。
【００２４】
つぎに、第５実施形態（請求項８）の人工漁礁１Ｅを説明する。
図９は、第５実施形態の人工漁礁１Ｅの概略斜視図である。同図に示すように、第５実施形態の人工漁礁１Ｅは、底板10E の上面に、フレーム20E が取り付けられ、全表面に石板３２が藻場ステージ３０として貼り付けられたものである。この人工漁礁１Ｅの基材は、型鋼４２と鉄筋４３の周りを再生ＦＲＰ層４１で固めたものである。
この人工漁礁１Ｅの場合、その基材の主原料が再生ＦＲＰ層４１であるから軽量で材料費が安く、型鋼４２と金網４３を備えているので頑強である。
【００２５】
図１０は第６実施形態（請求項８の他の例）の人工漁礁１Ｆを示している。同図の（II）図に示すように、基材を型枠４４の周りを再生ＦＲＰ層４１で固めたものにしてもよい。この人工漁礁１Ｆの場合、その基材の主原料が再生ＦＲＰ層４１であるから軽量で材料費が安く、型枠４４を備えているので頑強である。同図の（Ｉ）図に示すように、フレーム20Fの全表面には石板３２が貼り付けられている。
【００２６】
図１１は第７実施形態（請求項２，４の一例）の人工漁礁１Ｇを示している。同図に示すように、網２２を設けて、網２２の内側に自然石４０を固定させてものであってもよい。この人工漁礁１Ｇの場合、周囲に自然石の板石３２を張っているので、動植物に優しくコケやふじつぼ等が付き易く、魚が産卵しやすく、稚魚が効果的に育ち易い。
【００２７】
図１２は第８実施形態（請求項１の一例）の人工漁礁１Ｈを示している。同図に示すように、柱２１の基材を鉄筋４６にしたり、底板１０の基材を型枠４５にしてもよい。この人工漁礁１Ｈの場合、周囲は自然石の板石３２を張っているので、動植物に優しくコケやふじつぼ等が付き易く、魚が産卵しやすく、稚魚が効果的に育ち易い。
【００２８】
【発明の効果】
請求項１の発明によれば、再生ＦＲＰを固化してＦＲＰ製の型枠内に充填したものであるから、軽量かつ頑強であって、海底に長期間設置することができ、軟質地盤に設置してもコンクリート製の漁礁と比べて沈下しない。また、底板の裏面の石板には、魚が卵を産み付けることができ、卵や卵からかえった幼魚を網によって外敵から保護することができる。
請求項２の発明によれば、天板と柱も再生ＦＲＰを型枠内に充填しているから、廃棄予定のＦＲＰ製品を資源として再生することができる。しかも、軽量かつ頑強であって、海底に長期間設置することができ、軟質地盤に設置してもコンクリート製の漁礁と比べて沈下しない。
請求項３の発明によれば、自然石に魚が卵を産み付けることができ、卵や卵からかえった幼魚を網によって外敵から保護することができる。
請求項４の発明によれば、藻場を形成させ、この藻場により魚が隠れやすくなり、酸素が供給され、好適な産卵場として機能するから、魚の居住性を向上させることができる。
請求項５の発明によれば、フレーム内の自然石に魚が卵を産み付けることができ、卵や卵からかえった幼魚を網によって外敵から保護することができる。
請求項６の発明によれば、網内の自然石に魚が卵を産み付けることができ、卵や卵からかえった幼魚を網によって外敵から保護することができる。
請求項７の発明によれば、串棒の自然石に魚が卵を産み付けることができ、卵や卵からかえった幼魚を網によって外敵から保護することができる。
請求項８の発明によれば、石板に自然石に魚が卵を産み付けることができ、卵や卵からかえった幼魚を網によって外敵から保護することができる。
【図面の簡単な説明】
【図１】    本実施形態の人工漁礁設備の概略模式図である。
【図２】    人工漁礁１の概略斜視図である。
【図３】    図２のIII−III線断面斜視図である。
【図４】    成魚用漁礁７４の概略斜視図である。
【図５】    他の実施形態の人工漁礁１Ａの概略斜視図である。
【図６】    第２実施形態の人工漁礁１Ｂの概略斜視図である。
【図７】    第３実施形態の人工漁礁１Ｃの概略斜視図である。
【図８】    第４実施形態の人工漁礁１Ｄの概略斜視図である。
【図９】    第５実施形態の人工漁礁１Ｅの概略斜視図である。
【図１０】    第６実施形態の人工漁礁１Ｆの概略斜視図である。
【図１１】    第７実施形態の人工漁礁１Ｇの概略斜視図である。
【図１２】    第８実施形態の人工漁礁１Ｈの概略斜視図である。
【符号の説明】
１      人工漁礁
２１    柱
２２    網
３０    藻場ステージ
４０    自然石
７１    自然藻場
７２    捨石マウンド
７３    人工磯
７４    成魚用漁礁
【図１】
0003649695.tif 000002
【図２】
0003649695.tif 000003
【図３】
0003649695.tif 000004
【図４】
0003649695.tif 000005
【図５】
0003649695.tif 000006
【図６】
0003649695.tif 000007
【図７】
0003649695.tif 000008
【図８】
0003649695.tif 000009
【図９】
0003649695.tif 000010
【図１０】
0003649695.tif 000011
【図１１】
0003649695.tif 000012
【図１２】
0003649695.tif 000013